(57)【特許請求の範囲】
【請求項１】
円周に沿って半円柱状に設けられた少なくとも一つの導光体部と、その端面に設けられた少なくとも一つの光源と、前記導光体部と光源を覆う透光性材料よりなるハウジングと、前記光源の光を外に向けて出射する前記ハウジングに設けられたレンズ部とによって構成されていて、少なくとも２方向に光を発して通行人や車両の運転者に警告を与える工事用保安灯において、
前記導光体部は、ハウジングの一部として前記レンズ部に対向して一体に設けられていると共に表面には光の進行方向を変換する加工がなされ、
前記ハウジングは、前記導光体部に隣接して円周に沿った半円柱状の長溝を前記レンズ部に対向して一体に有しており、向かい合う導光体部と長溝とがお互いに嵌合するように重ね合わされる２つ一組から成ることを特徴とする工事用保安灯。
【請求項２】
請求項１記載の工事用保安灯において、前記導光体の加工は導光体の長手方向に直角に施された複数の溝であることを特徴とする工事用保安灯。
【請求項３】
請求項１記載の工事用保安灯において、前記導光体の加工は長手方向に、光源から遠ざかるに従って薄くなることを特徴とする工事用保安灯。
【請求項４】
請求項１記載の工事用保安灯において、前記導光体の加工は導光体にスパイラル形状に設けられた溝であることを特徴とする工事用保安灯。
【発明の詳細な説明】
【０００１】
【発明の属する技術分野】
本発明は少ない数の光源を用い、必要とする方向から見た時に有効な光が多く得られる工事用保安灯に関するものである。
【０００２】
【従来技術】
工事用保安灯としては、少なくとも２方向に光を発して通行人や車両の運転者に警告を与える構成として、放射状に配置された複数の光源と、前記光源を覆う透光性材料によるハウジングと光源と光源を点滅させる電源である乾電池等を主たる構成とすることが一般的に行なわれている
【０００３】
図１０〜図１２はこのような保安灯の従来例で、図１０は保安灯の斜視図と、複数のＬＥＤがプリント基板等に取付けられたその断面図を示している。図において、９１は工事用保安灯を示し、９２，９３はアクリル材等の透光性材からなるハウジング、９４は取付け部、９５はＬＥＤ等の光源、９６は光源と光源を点滅させる回路を搭載したプリント基板(回路及びプリント基板の固定手段は図を省略)を示している。この保安灯では図示しない乾電池等の電源からスイッチを通って電圧を印加されることにより光を発するＬＥＤにより、図１１の側面図において左右方向に光を発して通行人や車両の運転者に工事中であるとか、工事用の器材が置かれているとかの警告を与える役割をなしている。
【０００４】
そのために、図１０での左右方向に光が出射するように、光源９５がプリント基板９６の両側に搭載されている。このように光源を設置すると、スイッチ等の適宜な手段で電源の電圧を印加された光源から出射した光がハウジング９２，９３を通り、最も必要とされる方向(図１１での左右方向)に出て行き、保安灯としての役割を果たすことができる。
【０００５】
更に保安灯の視認性を向上させるために、光源９５を点滅させるような回路がプリント基板９６には設けられているのが一般的である。このような回路はごく一般的なので、その回路例は示さないしプリント基板上での図示も省略してある。取付け部９４は単に保安灯を設置するために設けられたのではなく、光源と光源を点滅させる回路を動作させる電源となる乾電池等の収納機能を兼ねている。
【０００６】
ハウジングには出射する光の方向を変える、集光させる、拡散させるという機能に応じてのレンズ部９７が適宜設けられていることが多い。又、透光性であるが、通常は警告を与える意味から赤色が用いられている。
【０００７】
図１２は別の従来例を示す。外観は図１０〜１１と同一なのでその部分は説明を省略し、光源光がハウジングに設けた反射部で反射されて図１１における左右方向に出射する様子のみを示している。９８はハウジング９２'、９３'に設けられた反射部であり、光源９５から出た光はこのハウジング内に入った後、反射部９８で反射して更にハウジング内を通った後、ハウジングの外に出射して行く。この場合、反射部９８はハウジング９２'、９３'の中心線に対し４５度の向きに設けられているので、光源から出た光が反射面で全反射し、ハウジングから出て行くような構成になっている。
【０００８】
光源９５'から出射した光は反射部９８で反射した後にハウジング９２'，９３'を通り、最も必要とされる方向(図５での左右方向)に出て行き、保安灯としての役割を果たすことができる。
【０００９】
更に保安灯の視認性を向上させるために、光源９５'を点滅させるような回路がプリント基板に設けられていることや取付け部９４が単に保安灯を設置するために設けられたのではなく、光源と光源を点滅させる回路を動作させる電源となる乾電池等の収納機能を兼ねていることは先の従来例と同じである。
【００１０】
ハウジングには出射する光の方向を変える、集光させる、拡散させるという機能に応じてのカットが適宜設けられていることが多いことや透光性で有色であることも先の従来例と同じである。
【００１１】
【発明が解決しようとする課題】
従来例においては、図１１の左右方向に光を出すようになっているので、プリント基板の両側に光源を設けなくてはならない。通常プリント基板に部品を搭載するのには、片面に部品を仮に設置し、半田デップ等の自動半田を用いて半田付けを行う。従ってプリント基板の両側に部品を取りつけるには、片面のみで半田付けをした後に他方の面の部品を手加工で取付けることがなされる。このような場合、半田デップ時に他方の側に取付ける部品の取付穴が半田で塞がれてしまわないようにする工数と手加工の工数とが大きなものとなり、大量生産には向かないものとなっていた。
【００１２】
最近はこのような弊害を解消するために、片面の部品は通常の半田デップを用い、他方の面は半田クリームを用いてリフロー方式で半田付けする方法や、両面にクリーム半田を用いて両面をリフローにて同時に半田付けするようなことも行われているが、いずれも片面で半田デップを用いて半田付けをすることに比べると工数や材料費でコスト高になることは避けられない。
【００１３】
もう一つの従来例でも言えることであるが、光源であるＬＥＤの使用数量が大きく、電源として乾電池を使うと短時間で容量がなくなってしま異、頻繁に交換が必要となることである。
【００１４】
又、もし太陽電池のように交換を必要としない電源を使用しても、光源であるＬＥＤの数量が多いと太陽電池の容量を大きなものとしなければならなくなってしまうという問題もあった。
【００１５】
【課題を解決するための手段】
本発明は上記した従来の問題点を解決するためになされるもので、その目的とするところは工事用保安灯において少ない数の光源を用いて最も必要とされる方向に十分な光が出射する構成を提案するものである。
【００１６】
そのためには、円周に沿って半円柱状に設けられた少なくとも一つの導光体部と、その端面に設けられた少なくとも一つの光源と、前記導光体部と光源を覆う透光性材料よりなるハウジングと、前記光源の光を外に向けて出射する前記ハウジングに設けられたレンズ部とによって構成されていて、少なくとも２方向に光を発して通行人や車両の運転者に警告を与える工事用保安灯において、前記導光体部は、ハウジングの一部として前記レンズ部に対向して一体に設けられていると共に表面には光の進行方向を変換する加工がなされ、前記ハウジングは、前記導光体部に隣接して円周に沿った半円柱状の長溝を前記レンズ部に対向して一体に有しており、向かい合う導光体部と長溝とがお互いに嵌合するように重ね合わされる２つ一組から成る工事用保安灯とすることで得られる。
【００１７】
上記の導光体の表面には前記光源から出射し、前記導光体に入った光が導光体からハウジングの方向に出射させるための加工がされている。ハウジングから出射していく時にはハウジングに設けたレンズ部によって希望する方向に屈折させたり、拡散させたりすることが容易に出来る。
【００１８】
この場合導光体の表面の加工は導光体内の光が導光体に対して略直角の方向に出射するように、導光体の長手方向に対し直角になる方向で溝を付けたり、長手方向に対し、光源から遠くなるに従って薄くなるような形状にしたり、導光体の周囲にスパイラル形状に溝を設けても良い。
【００１９】
一つの光源に対して一個の導光体を設けても良いし、複数の光源に対して一個の導光体を設けても良いし、複数の光源に対して複数の導光体を設けても良い。要は保安灯としての全体的明るさによって適宜選択をすれば良いことである。
【００２０】
【発明の実施の形態】
以下、図面を参照して本発明の実施例について説明する。
【００２１】
図１の１は本発明の工事用保安灯の斜視図を示している。第１実施例である図２は図１の保安灯の中のハウジングに設置される導光体１と光源であるＬＥＤ２であって、ハウジング等は省略してある。導光体１には長手方向に直角に複数の溝３が設けられている。図３は光源から出た光がどのように進むかを示したものである。光源であるＬＥＤから出て導光体の端面から入射した光は進行方向とは直角方向に設けられた溝３によって進行方向とは直角方向に出射する。この光が図示していないハウジングを通り、その表面に設けられているレンズによって進行方向を変えられたり、拡散したりしながら保安灯から外に出て行く。
【００２２】
この場合、溝の数はハウジングに設けられているレンズの数と同一にしておけば、溝で進行方向を変えられた光はハウジングとレンズを通って保安灯の外に出ていく。又溝の深さは最初の溝で全ての光が直角方向に曲げられてしまわないように光源に塚異方から遠くに行くに従って深くすることが良い。
【００２３】
導光体をハウジングに固定するためにはハウジングに適宜Ｕ字状の突起を設けておき、そこに導光体を挟んで固定するようなことで十分である。
【００２４】
図２では導光体を１本、その片方の端面に光源であるＬＥＤを一個だけ設けたが、第２実施例の図４では導光体を一本とし、その両端面に各一個のＬＥＤを設けたものである。作用は図３で示したことと同じなので説明は省略する。第３実施例の図５は導光体１本に対しＬＥＤを１個設けたものを２セット使ったものである。図示はしないが、図５において、各導光体の両端面にＬＥＤを設ければ更に明るいものとなるが、必要とする電源の容量も２倍になってしまう。
【００２５】
第４実施例の図６では溝の形状を変えてある。図２、図４及び図５では導光体の長手方向に直角になるように溝を設けたが、ここでは導光体全体にスパイラル形状に溝を設けている。このようにすると溝を設けた部分が多くなり、導光体全体の明るさがより均一になってくる。この場合はハウジングに設けるレンズも孤立した複数のものから連続した半円柱状にすると効果的である。
【００２６】
以上の例では導光体をハウジングとは別体に製造し、ハウジングに設置する構造であったが、これでは金型数が多くなり、且つ導光体をハウジングに設置する工数も余分に必要とされる。
【００２７】
図７〜図９ではハウジングの一部を導光体とレンズに使って、金型数や組立ての工数を減らす工夫をなしたものである。
【００２８】
第５実施例の図７において、４は導光体部５とレンズ部６とを一体に有したハウジングである。ここではこれらの導光体と溝が略半円内の更に半分に設けられている。同抗体が設けられていない方には、導光体が裏返しになった時にすっぽりと嵌まり込むような長溝７が設けられている。この導光体にはレンズに対向する部分に長手方向に直角に溝３が掘られている。
【００２９】
図８は図７のＡ−Ａ断面図である。図７のものを２個作り、導光体がある方を嵌合させると、一方に設けられた導光体は他方に設けられた長溝に嵌まり込むようになっている。この導光体の端面にＬＥＤを設けるとＬＥＤから出て導光体に入射した光は導光体内を進み、溝にぶつかって導光体から外に出て行く。他方に設けられた長溝を通り、対向して設けられているレンズを通って保安灯の外に出射していく。
【００３０】
図９は第６実施例である。図７では片方に導光体、他方に長溝を設けていたが、この例では一方に導光体と長溝が設けられており、他方には逆に長溝と導光体が設けられており、２つのハウジングを向かい合わせると、各導光体と長溝が嵌合するようになっている。このようにすると図７の例に比べ明るさはより均一になる。
【００３１】
上記では、レンズは導光体に設けられた溝に対向して設けられているが、導光体が半円柱状なので、レンズ部も半円柱状に設けることもできる。また導光体の数も適宜増加することも可能である。
【００３２】
【発明の効果】
以上のように、本発明によれば少なくとも２方向に光を発して通行人や車両の運転者に警告を与える工事用保安灯において、少なくとも一つの導光体とその端面に設置された光源と、前記導光体と前記光源を覆う透光性材料によるハウジングと、前記光源から出射した光が通過するハウジング部に設けられたレンズ部とを有することを特徴とする工事用保安灯において、導光体の長手方向に直角方向に複数の溝を設けて、この溝にて光源からの光をハウジング及びそこに設けられたレンズによって光の進行方向を変更したり、拡散をさせることができる。従来例の工事用保安灯に比べ、光源の数を大幅に減らすことが可能となり、乾電池の交換回数を減らす、または太陽電池の容量を減らすことが可能となった。
【図面の簡単な説明】
【図１】本発明の工事用保安灯の斜視図
【図２】図１の導光体、ＬＥＤを含む要部図（第１実施例）
【図３】図２の導光体でＬＥＤの光の進む要部図
【図４】図１の導光体、ＬＥＤを含む要部図（第２実施例）
【図５】図１の導光体、ＬＥＤを含む要部図（第３実施例）
【図６】図１の導光体、ＬＥＤを含む要部図（第４実施例）
【図７】図１の導光体、ＬＥＤを含む要部図（第５実施例）
【図８】図７の導光体のＡ−Ａ断面図
【図９】図１の導光体、ＬＥＤを含む要部図（第６実施例）
【図１０】従来の工事用保安灯の斜視図とその断面図
【図１１】図１０のＢ―Ｂ断面図（第一先行例）の要部
【図１２】図１０のＢ−Ｂ断面図（第二先行例）の要部
【符号の説明】
１、                  導光体
２、                  光源であるＬＥＤ
３、                  溝
４．                  導光体、レンズ付きハウジング
５、                  導光体部
６、                  レンズ部
７、                  長溝
【図１】
0004488610.tif 000002
【図２】
0004488610.tif 000003
【図３】
0004488610.tif 000004
【図４】
0004488610.tif 000005
【図５】
0004488610.tif 000006
【図６】
0004488610.tif 000007
【図７】
0004488610.tif 000008
【図８】
0004488610.tif 000009
【図９】
0004488610.tif 000010
【図１０】
0004488610.tif 000011
【図１１】
0004488610.tif 000012
【図１２】
0004488610.tif 000013